(57)【要約】  ダイ交換装置は、複数のダイを支持する第1のダイ支持体を備え、前記ダイ支持体は互いに離間した第１および第２のダイ支持部を有する。前記ダイ支持体は、前記第１のダイ支持部または前記第２のダイ支持部のいずれかを第１の移送位置に位置させることができるように移動可能である。移送装置も備え、前記移送装置は、前記第１および第２のダイ支持部の１つが前記第１の移送位置に位置するとき、前記第１および第２のダイ支持部の前記１つからダイを把持し、前記把持したダイを前記第１のダイ支持体から取り外す第１の把持部を備える。前記移送装置は、前記第１および第２のダイ支持部の前記１つが前記第１の移送位置に位置するとき前記第１の把持部が前記第１および第２のダイ支持部のうちの前記１つから前記ダイを把持することができる第１の配置形態と、前記第１の把持部が前記ダイを解放してそのダイを第２の移送位置に位置するリベットセッターの第２のダイ支持体に渡す第２の配置形態との間で、前記第１のダイ支持体と独立に移動可能である。
2020523203.tif 000002
【特許請求の範囲】
【請求項１】
ダイ交換装置であって、該装置は、
互いに離間した第１および第２のダイ支持部を有し、前記第１のダイ支持部または前記第２のダイ支持部のいずれかが第１の移送位置に位置し得るように移動可能である、複数のダイを支持する第１のダイ支持体と、
前記第１および第２のダイ支持部のうちの１つが前記第１の移送位置にあるとき、前記第１および第２のダイ支持部のうちの前記１つからダイを把持し、把持したダイを前記第１のダイ支持体から取り外す第１の把持部を備えた移送装置と、を備え、
前記移送装置は、前記第１および第２のダイ支持部のうちの前記１つが前記第１の移送位置にあるとき前記第１の把持部が前記第１および第２のダイ支持部のうちの前記１つから前記ダイを把持することができる第１の配置形態と、前記第１の把持部がダイを解放してそのダイを第２の移送位置に位置するリベットセッターの第２のダイ支持体に渡す第２の配置形態との間で、前記第１のダイ支持体と独立に移動可能である、
ダイ交換装置。
【請求項２】
前記第１の配置形態と前記第２の配置形態との間の前記移送装置の移動は、軸を中心とする回転である、請求項１に記載のダイ交換装置。
【請求項３】
前記第１のダイ支持体は、第１の軸を中心とする回転可能なカルーセルであり、前記第１および第２のダイ支持部は、前記第１のダイ支持部または前記第２のダイ支持部のいずれかが前記第１の移送位置に位置し得るように前記第１の軸を中心に角度的に離間されている、請求項１または２に記載のダイ交換装置。
【請求項４】
前記移送装置が第２の把持部を備え、前記移送装置の前記第１の配置形態において、前記第２の把持部は前記第２の移送位置に位置する前記リベットセッターの前記第２のダイ支持体から第２のダイを把持するように構成され、且つ前記移送装置の前記第２の配置形態において、前記第２の把持部は前記第１のダイを開放してそのダイを廃棄ターゲットに渡すことができる、請求項１〜３のいずれかに記載のダイ交換装置。
【請求項５】
前記廃棄ターゲットは前記第１のダイ支持体の一部を形成する、請求項４に記載のダイ交換装置。
【請求項６】
前記廃棄ターゲットは、前記第１のダイ支持部、前記第２のダイ支持部、または第３のダイ支持部のうちの１つであることを特徴とする請求項５に記載の大交換装置。
【請求項７】
前記第１のダイ支持体の前記廃棄ターゲットは、廃棄容器または廃棄導管である、請求項５に記載のダイ交換装置。
【請求項８】
前記第１のダイ支持体は廃棄容器または廃棄導管を備え、前記移送装置は、前記廃棄容器または廃棄導管が前記第１の移送位置にあるとき、前記リベットセッターの前記第２のダイ支持体から第２のダイを取り外してそれを前記廃棄容器または廃棄導管に渡すように構成されている、請求項１〜３のいずれかに記載のダイ交換装置。
【請求項９】
前記第１のダイ支持体は、該第１のダイ支持体に接続された第１の端部と前記第１の端部から離間した第２の端部とを有する廃棄導管を含み、前記ダイ交換装置は、前記廃棄導管が前記第１の移送位置に位置するように前記第１のダイ支持体が位置づけられると、前記廃棄導管の第２端部が第２廃棄容器または廃棄導管に隣接して位置するように構成され、その結果、前記第２のダイが前記廃棄導管に渡されると、前記第２のダイは前記廃棄導管をその第１の端部から第２の端部へ第１の端部から第２の端部へ通過し、次いで前記第２の廃棄容器または廃棄導管に入ることができる。請求項７または８に記載のダイ交換装置。
【請求項１０】
前記ダイ交換装置の一部は人の進入が制限された制限区域内に位置するように構成され、前記ダイ交換装置は第２の廃棄導管を備え、前記第１の移送位置は前記制限区域内に位置し、前記第２の廃棄導管は互いに離間した第３および第４の端部を含み、前記廃棄導管の第２端部が前記第２の廃棄導管に隣接して位置するとき、前記第３の端部が前記廃棄導管に隣接して位置し、前記第４の端部が前記制限区域の外に位置する、請求項９に記載のダイ交換装置。
【請求項１１】
前記第１の移送位置が人の進入が制限された制限区域内に位置するように、前記ダイ交換装置の一部が前記制限区域内に位置するように構成され、且つ前記第１のダイ支持体の一部が前記制限区域の外に位置可能であり、前記第１のダイ支持体の前記部分が廃棄ターゲットまたは廃棄容器を備える、請求項５〜８のいずれかに記載のダイ交換装置。
【請求項１２】
前記第１の廃棄容器または第２の廃棄容器は、複数の受け取ったダイを収容するように構成され、それによって、前記第１の廃棄容器または第２の廃棄容器は前記複数の受け取ったダイを受け取った順序と同じ順序で互いに隣接して支持する、請求項７〜１０のいずれか、または、請求項７もしくは８を引用する請求項１１に記載のダイ交換装置。
【請求項１３】
前記第１の移送位置が人の進入が制限された制限区域内に位置するように、前記ダイ交換装置の一部が前記制限区域内に位置するように構成され、前記第１のダイ支持体の一部が前記制限区域の外に位置可能であり、前記第１のダイ支持体の前記部分が前記第１および／または第２のダイ支持部を備える、請求項１〜１２のいずれかに記載のダイ交換装置。
【請求項１４】
前記第１のダイ支持部および前記第２のダイ支持部の各々は複数のダイを支持するように構成され、前記第１のダイ支持部は第１のタイプの複数のダイを支持し、前記第２のダイ支持部は第２のタイプの複数のダイを支持するように構成されている、請求項１〜１３のいずれかに記載のダイ交換装置。
【請求項１５】
ダイ交換装置を用いてダイを交換する方法であって、前記ダイ交換装置は、
互いに離間した第１および第２のダイ支持部を有する第１のダイ支持体と、第１の把持部を備えた移送装置とを備え、前記方法は、
複数のダイを前記第１の支持体に支持するステップと、
前記第１のダイ支持体を、前記第１のダイ支持部または前記第２のダイ支持部のいずれかが第１の移送位置に位置するように移動させるステップと、
前記第１および第２のダイ支持部の１つが第１の移送位置に位置するとき、前記第１の把持部が前記第１および第２のダイ支持部の前記１つからダイを把持し、前記移送装置が前記把持したダイを前記第１のダイ支持体から取り外すステップと、
前記移送装置を、前記第１のダイ支持体と独立に、前記把持が生じ得る第１の配置形態と、前記第１の把持部が前記ダイを開放し、そのダイを第２の移送位置に位置するリベットセッターの第２のダイ支持体に渡す第２の配置形態との間で移動させるステップと、
を含む方法。
【請求項１６】
前記第１のダイ支持体は、第１の軸を中心に回転可能なカルーセルであり、前記第１および第２のダイ支持部は、前記第１の軸を中心に互いに角度的に離間され、
前記第１のダイ支持体を前記第１のダイ支持部または前記第２のダイ支持部のいずれかが第１の移送位置に位置するように移動させるステップは、前記第１のダイ支持体を前記第１のダイ支持部または前記第２のダイ支持部のいずれかが第１の移送位置に位置するように回転させることを含む、請求項１５に記載の方法。
【請求項１７】
前記移送装置は第２の把持部を備え、前記移送装置の前記第１の配置形態において、前記第２の把持部が前記第２の移送位置に位置する前記リベットセッターの前記第２のダイ支持体から第２のダイを把持し、前記移送装置の第２の配置形態において、前記第２の把持部が前記第２のダイを解放し、それを廃棄ターゲットに渡す、請求項１５または１６に記載の方法。
【請求項１８】
前記廃棄ターゲットは、前記第１のダイ支持体の一部を形成する、請求項１７に記載の方法。
【請求項１９】
前記廃棄ターゲットは、前記第１のダイ支持部、前記第２のダイ支持部または第３のダイ支持部のうちの１つである、請求項１８に記載の方法。
【請求項２０】
前記第１のダイ支持体の廃棄ターゲットは、廃棄容器または導管である、請求項１８に記載の方法。
【請求項２１】
前記第１のダイ支持体は廃棄容器または導管を備え、前記方法はさらに、
前記廃棄容器または導管が前記第１の移送位置にあるときに、前記移送装置が前記リベットセッターの前記第２のダイ支持体から前記第２のダイを取り外し、それを前記廃棄容器または導管に渡すステップを含む、請求項１５または１６に記載の方法。
【請求項２２】
前記第１のダイ支持体は廃棄導管を備え、前記廃棄導管は、前記第１のダイ支持体に接続された第１の端部と、前記第１の端部から離間した第２の端部とを有し、前記方法はさらに、
前記廃棄導管が前記第１の移送位置に位置するように前記第１のダイ支持体を位置させるステップと、
前記廃棄導管の第２端部を第２廃棄容器または廃棄導管に隣接して位置させるステップと、
前記第２のダイが前記廃棄導管をその第１の端部から第２の端部へ通過し、それから前記第２の廃棄容器または廃棄導管に入るように前記第２のダイを前記廃棄導管に渡すステップと、
を含む、請求項２０または２１に記載の方法。
【請求項２３】
前記ダイ交換装置の一部が人の進入が制限された制限区域内に位置し、前記ダイ交換装置が第２の廃棄導管を備え、前記第１の移送位置が前記制限区域内に位置し、前記第２の廃棄導管が互いに離間した第３および第４の端部を備え、前記方法はさらに、
前記廃棄導管の第２端部が前記第２の廃棄導管に隣接して位置するとき、前記第３の端部を前記廃棄導管に隣接して位置させるステップと、
前記第４の端部を前記制限区域の外に位置させるステップと、
を含む、請求項２２に記載の方法。
【請求項２４】
前記第１の移送位置が人の進入が制限された制限区域内に位置するように、前記ダイ交換装置の一部が前記制限区域内に位置し、前記方法はさらに、
前記第１のダイ支持体の一部を前記制限区域の外に位置させるステップを含む、前記第１のダイ支持体の前記部分が廃棄ターゲットまたは廃棄容器を備える、請求項１８〜２１のいずれかに記載の方法。
【請求項２５】
前記第１の廃棄容器または第２の廃棄容器は複数のダイを受け取り、前記方法はさらに、
前記第１の廃棄容器または第２の廃棄容器が前記複数の受け取ったダイを受け取った順序と同じ順序で互いに隣接して支持するステップ、
を含む、請求項２０〜２３のいずれか、または、請求項２０もしくは２１を引用する請求項２４に記載の方法。
【請求項２６】
前記第１の移送位置が人の進入が制限された制限区域内に位置するように、前記ダイ交換装置の一部が前記制限区域内に位置し、前記方法はさらに、前記第１のダイ支持体の一部を前記制限区域の外に位置させるステップを含み、前記第１のダイ支持体の前記部分が前記第１および／または第２のダイ支持部を備える、請求項１５〜２５のいずれかに記載の方法。
【請求項２７】
前記第１のダイ支持部および前記第２のダイ支持部の各々は複数のダイを支持し、前記第１のダイ支持部は第１のタイプの複数のダイを支持し、前記第２のダイ支持部は第２のタイプの複数のダイを支持する、請求項１５〜２６のいずれかに記載の方法。
【請求項２８】
リベットセッターと請求項１５〜２７のいずれかに記載の方法を実施するダイ交換装置を併用してワークピースの２つ以上の層を締結するステップを含む、製品の製造方法。
【請求項２９】
前記製品は車両である、請求項２８に記載の方法。
【発明の詳細な説明】
【技術分野】
【０００１】
本発明は、ダイ交換装置に関し、特に、ファスニング装置の一部を形成するダイ交換装置に関する。ファスニング装置は、セルフピアスリベットを利用するリベットセッターであってもよい。本発明は、関連方法にも関する。
【０００２】
ワークピースの２つ以上の部分（２つ以上のシートなど）を固定するために使用される、多くの既知のタイプのファスナがある。このような既知のファスナの１つのグループは、次のように機能する。ファスナ支持体がワークピースの下に配置され、ファスナとファスナ挿入装置がファスナ支持体とワークピースの両方の上に配置される。ファスナ挿入装置は、ファスナに力を加え、それによりファスナをワークピースを通してファスナ支持体に向かって駆動する。場合によっては、ファスナ支持体は、ファスナ挿入装置によってファスナに加えられる力の結果として、ファスナに反力を及ぼし得る。ファスナに作用する力により、ファスナが変形し、それによってワークピースの２つ以上の部分が固定される。
【０００３】
そのようなファスナの例には、リベット、機械的スタッド、および他のタイプのファスニング装置が含まれる。特定のタイプの既知のリベットは、セルフピアスリベットである。このようなリベットを適切な接着剤などと組み合わせて使用することは、溶接が実用的ではない産業で広く普及しており、望ましいものとなっている。そのような産業には、アルミニウム構成要素を利用する産業が含まれる。そのような産業の一例は、少なくとも１枚のアルミニウムシートを含む金属シートのスタックを互いに固定する必要がある自動車産業である。
【０００４】
上述のように、既知のファスニング装置は、ファスナ支持体とファスナ挿入装置とを含む。ファスナ挿入装置はノーズアセンブリを含み、リベットがリベット貯蔵場所からノーズアセンブリに入り、そこからパンチによってワークピースに挿入される。ファスナ支持体は、ワークピースの下に位置し、リベットがワークピースに挿入されたときリベットをアプセットするように構成されたアプセットダイを含む。アプセットダイの容積と形状は、リベットがパンチによってワークピースに挿入されたときに所望の形状をとるように、所望の程度のアプセットを提供するように選択される。
【０００５】
異なるタイプのリベット（すなわち、異なる形状、寸法、および／または材料などのリベット）をノーズアセンブリに供給することができる供給装置は既に知られている。異なるファスニング要件を持つ異なるワークピースまたはワークピース上の異なる位置を固定することが望ましい場合（例えば、ワークピース/ワークピース部分を形成するシートの数が異なる場合、ワークピース/ワークピース部分の材料タイプの組み合わせが異なるおよび/または厚さが異なる場合、および/またはワークピース/ワークピース部分のシート、および/または（上記のように）異なるタイプのリベットを使用する必要がある場合）、しばしばアプセットダイを取り外し、そのダイを異なるリベットおよび/または関連するワークピース/ワークピース部分の特性により適した異なる容積および/または形状を有するアプセットダイと交換する必要がある。さらに、ダイは消耗品であり、最終的には摩耗するため、リベットが必要な形状を得るのに必要な程度のアップセット作用を提供できなくなる。これにより、不満足な接合が生じ得る。摩耗したダイは交換しなければならない。
【０００６】
ファスニング装置のダイを取り外して交換するためのダイ交換装置は既に知られている。このようなダイ交換装置はあまり効率よく使用することができない。ダイ交換装置の効率を改善するためにできることは何でもしてファスニング装置の動作中のメンテナンス停止時間および/または潜伏期間を短縮するのが有利である。
【０００７】
さらに、既知のファスニング装置およびダイ交換装置は、多くの場合、制限区域、すなわち安全上の理由から人の接近が制限された区域に設置される。このような状況では、人が侵入する前に制限区域内のすべての機械の電源を切る必要があるのが一般的である。これはダイ交換装置へのアクセスを困難にし、従ってダイ交換装置から不要なダイを除去し、新しいダイをダイ交換装置に補充することが問題になる。
【０００８】
本明細書で説明されるか否かにかかわらず、既知のダイ交換装置と関連する問題の少なくとも１つを軽減する装置および方法を提供することが望ましい。
【０００９】
本発明の第１の態様によれば、ダイ交換装置が提供され、該装置は、
互いに離間した第１および第２のダイ支持部を有し、前記第１のダイ支持部または前記第２のダイ支持部のいずれかが第１の移送位置に位置し得るように移動可能である、複数のダイを支持する第１のダイ支持体と、
前記第１および第２のダイ支持部のうちの１つが前記第１の移送位置にあるとき、前記第１および第２のダイ支持部のうちの前記１つからダイを把持し、把持したダイを前記第１のダイ支持体から取り外す第１の把持部を備えた移送装置と、を備え、
前記移送装置は、前記第１および第２のダイ支持部のうちの前記１つが前記第１の移送位置にあるとき前記第１の把持部が前記第１および第２のダイ支持部のうちの前記１つから前記ダイを把持することができる第１の配置形態と、前記第１の把持部が前記ダイを解放してそのダイを第２の移送位置に位置するリベットセッターの第２のダイ支持体に渡す第２の配置形態との間で、前記第１のダイ支持体とは独立に移動可能である。
【００１０】
前記第１のダイ支持体と前記移送装置を独立に動かす能力は、第１のダイ支持体の移動に関してより多くの自由があることを意味する。たとえば、前記ダイの支持体がカルーセルである場合、カルーセルを時計回りまたは反時計回りに回転させることができ、これにより、正しいダイ支持部を可能な限り迅速に位置付けることができるため、ファスニング装置の動作中の潜伏期間が短縮される。さらに、別個の移送装置を使用すると、移送装置が選択されたダイをダイ支持部から取り外したらすぐに、第１のダイ支持体を移動させて別のダイ支持部にある次のダイ（もしあれば）をプリフェッチすることができる。これによっても、ファスニング装置の動作中の潜伏期間を短縮することができる。
【００１１】
前記第１の配置形態と前記第２の配置形態との間の前記移送装置の移動は、軸を中心とする回転とし得る。前記第１の配置形態と前記第２の配置形態との間の移送装置の回転量は、１８０°または他の適切な回転量とし得る。
【００１２】
前記第１のダイ支持体は、第１の軸を中心に回転可能なカルーセルとしてよい。前記第１および第２のダイ支持部は、第１の軸を中心に互いに角度的に離間してよい。第１のダイ支持体は、第１のダイ支持部または第２のダイ支持部のいずれかが第１の移送位置に位置し得るように回転可能としてよい。
【００１３】
前記移送装置は第２の把持部を備えてもよく、前記移送装置の第１の配置形態において、前記第２の把持部が前記第２の移送位置に位置する前記リベットセッターの前記第２のダイ支持体から第２のダイを把持するように構成してもよい。前記移送装置の第２の配置形態において、前記第２の把持部が前記第２のダイを解放し、それを廃棄ターゲットに渡すことができる。
【００１４】
第２の把持部を使用すると、２つの別々のダイを、即ち１つはリベットセッター（例えば、第２のダイ支持体）から、もう１つは第１の支持部（例えば、第１のダイ支持体）から、同時に取り外すことができ、その後、同時に別々のダイを１つは廃棄ターゲットに、もう１つはリベットセッターに（例えば、第２のダイ支持体）に開放することができる。この同時動作により、関連する動作を順次に実行する場合と比較して、動作速度が向上する。
【００１５】
前記廃棄ターゲットは、第１のダイ支持体の一部をとしてよい。
【００１６】
前記廃棄ターゲットは、前記第１のダイ支持部、前記第２のダイ支持部または第３のダイ支持部のうちの１つとしてよい。
【００１７】
前記第１のダイ支持体の廃棄ターゲットは、廃棄容器または導管としてもよい。
【００１８】
前記第１のダイ支持体は、廃棄容器または導管を備えてもよい。前記移送装置は、前記廃棄容器または導管が前記第１の移送位置にあるときに、前記リベットセッターの前記第２のダイ支持体から前記第２のダイを取り外し、それを前記廃棄容器または導管に渡すように構成してもよい。
【００１９】
前記第１のダイ支持体は廃棄導管を備えてもよい。前記廃棄導管は、前記第１のダイ支持体に接続された第１の端部と、前記第１の端部から離間した第２の端部とを有してよい。前記ダイ交換装置は、前記廃棄導管が前記第１の移送位置に位置するように前記第１のダイ支持体が位置付けられると、前記廃棄導管の第２端部が第２廃棄容器または廃棄導管に隣接して位置するように構成することができ、その結果、前記第２のダイが前記廃棄導管に渡されると、前記第２のダイは前記廃棄導管をその第１の端部から第２の端部へ通過し、それから前記第２の廃棄容器または廃棄導管に入ることができるようにしてよい。
【００２０】
前記ダイ交換装置の一部は人の進入が制限された制限区域内に位置するように構成される。前記ダイ交換装置は第２の廃棄導管を備えてよい。前記第１の移送位置は前記制限区域内に位置させることができ、前記第２の廃棄導管は互いに離間した第３および第４の端部を備えることができる。前記廃棄導管の第２端部が前記第２の廃棄導管に隣接して位置するとき、前記第３の端部は前記廃棄導管に隣接して位置し、前記第４の端部は前記制限区域の外に位置することができる。
【００２１】
これにより、オペレータが廃棄ダイをリベットセッターから取り外すために制限区域に入るのを回避することができる。
【００２２】
前記第１の移送位置が人の進入が制限された制限区域内に位置するように、前記ダイ交換装置の一部は前記制限区域内に位置するよう構成することができる。前記第１のダイ支持体の一部は前記制限区域の外に位置させることができ、前記第１のダイ支持体の前記部分は廃棄ターゲットまたは廃棄容器を備えることができる。
【００２３】
この場合も同様に、オペレータが廃棄ダイをリベットから取り外すために制限区域に入るのを回避することができる。
【００２４】
前記第１の廃棄容器または第２の廃棄容器は、複数の受け取ったダイを収容するように構成してよい。前記第１の廃棄容器または第２の廃棄容器は前記複数の受け取ったダイを受け取った順序と同じ順序で互いに隣接して支持することができる。
【００２５】
これは廃棄ダイの事後分析を可能にし、それらの特性をそれらがリベットセッターから除去された時系列に基づいて分析することができる。
【００２６】
前記第１の移送位置が人の進入が制限された制限区域内に位置するように、前記ダイ交換装置の一部は前記制限区域内に位置するように構成することができる。前記第１のダイ支持体の一部は前記制限区域の外に位置させることができ、前記第１のダイ支持体の前記部分は前記第１および／または第２のダイ支持部を備えることができる。
【００２７】
これにより、オペレータが第１及び／又は第２のダイ支持部により支持されたダイのいずれかを補充／交換するために制限区域に入るのを回避することができる。
【００２８】
前記第１のダイ支持部および前記第２のダイ支持部の各々は複数のダイを支持するように構成することができる。前記第１のダイ支持部は第１のタイプの複数のダイを支持し、前記第２のダイ支持部は第２のタイプの複数のダイを支持するように構成することができる。
【００２９】
本発明の第２の態様によれば、ダイ交換装置を用いてダイを交換する方法が提供され、前記ダイ交換装置は、互いに離間した第１および第２のダイ支持部を有する第１のダイ支持体と、第１の把持部を備えた移送装置とを備え、前記方法は、複数のダイを前記第１の支持体に支持し、前記第１のダイ支持体を、前記第１のダイ支持部または前記第２のダイ支持部のいずれかが第１の移送位置に位置するように移動させ、前記第１および第２のダイ支持部が前記第１の移送位置に位置するとき、前記第１の把持部が前記第１および第２のダイ支持部の１つからダイを把持し、前記移送装置が前記把持したダイを前記第１のダイ支持体から取り外し、前記移送装置を、前記第１のダイ支持体とは独立に、前記把持が生じ得る第１の配置形態と、前記第１の把持部が前記ダイを開放し、そのダイを第２の移送位置に位置するリベットセッターの第２のダイ支持体に渡す第２の配置形態との間で移動させることを特徴とする。
【００３０】
前記第１のダイ支持体は、第１の軸を中心に回転可能なカルーセルとしてよい。前記第１および第２のダイ支持部は、前記第１の軸を中心に互いに角度的に離間してよい。前記第１のダイ支持体を前記第１のダイ支持部または前記第２のダイ支持部のいずれかが第１の移送位置に位置するように移動させるステップは、前記第１のダイ支持体を前記第１のダイ支持部または前記第２のダイ支持部のいずれかが第１の移送位置に位置するように回転させることを含む。
【００３１】
前記移送装置は第２の把持部を備えてもよい。前記移送装置の前記第１の配置形態において、前記第２の把持部が前記第２の移送位置に位置する前記リベットセッターの前記第２のダイ支持体から第２のダイを把持し、前記移送装置の第２の配置形態において、前記第２の把持部が前記第２のダイを解放し、それを廃棄ターゲットに渡す。
【００３２】
前記廃棄ターゲットは、前記第１のダイ支持体の一部を形成してよい。
【００３３】
前記廃棄ターゲットは、前記第１のダイ支持部、前記第２のダイ支持部または第３のダイ支持部のうちの１つとし得る。
【００３４】
前記第１のダイ支持体の廃棄ターゲットは、廃棄容器または導管とし得る。
【００３５】
前記第１のダイ支持体は廃棄容器または導管を備えてよい。前記方法はさらに、前記廃棄容器または導管が前記第１の移送位置にあるときに、前記移送装置が前記リベットセッターの前記第２のダイ支持体から前記第２のダイを取り外し、それを前記廃棄容器または導管に渡すステップを備える。
【００３６】
前記第１のダイ支持体は廃棄導管を備えてよい。前記廃棄導管は、前記第１のダイ支持体に接続された第１の端部と、前記第１の端部から離間した第２の端部とを有し得る。前記方法はさらに、前記廃棄導管が前記第１の移送位置に位置するように前記第１のダイ支持体を位置させるステップと、前記廃棄導管の第２端部を第２廃棄容器または廃棄導管に隣接して位置させるステップと、前記第２のダイが前記廃棄導管をその第１の端部から第２の端部へと通過させ、それから前記第２の廃棄容器または廃棄導管に入るように前記第２のダイを前記廃棄導管に渡すステップとを備える。
【００３７】
前記ダイ交換装置の一部は人の進入が制限された制限区域内に配置してよい。前記ダイ交換装置が第２の廃棄導管を備えてよい。前記第１の移送位置が前記制限区域内に位置し、前記第２の廃棄導管が互いに離間した第３および第４の端部を備えてよい。前記方法はさらに、前記廃棄導管の第２端部が前記第２の廃棄導管に隣接して位置するとき、前記第３の端部を前記廃棄導管に隣接して位置させるステップと、前記第４の端部を前記制限区域の外に位置させるステップとを備えてよい。
【００３８】
前記第１の移送位置が人の進入が制限された制限区域内に位置するように、前記ダイ交換装置の一部を前記制限区域内に配置してよく、前記方法はさらに、前記第１のダイ支持体の一部を前記制限区域の外に位置させるステップを備え、前記第１のダイ支持体の前記部分は廃棄ターゲットまたは廃棄容器を備えてよい。
【００３９】
前記第１の廃棄容器または第２の廃棄容器は複数のダイを受け取ることができる。前記方法はさらに、前記第１の廃棄容器または第２の廃棄容器が前記複数の受け取ったダイを受け取った順序と同じ順序で互いに隣接して支持するステップを備えてよい。
【００４０】
前記第１の移送位置が人の進入が制限された制限区域内に位置するように、前記ダイ交換装置の一部を前記制限区域内に配置してよく、記方法はさらに、前記第１のダイ支持体の一部を前記制限区域の外に位置させるステップを備え、前記第１のダイ支持体の前記部分は前記第１および／または第２のダイ支持部を備えることができる。
【００４１】
前記第１のダイ支持部および前記第２のダイ支持部の各々は複数のダイを支持することができる。前記第１のダイ支持部は第１のタイプの複数のダイを支持し、前記第２のダイ支持部は第２のタイプの複数のダイを支持することができる。
【００４２】
本発明の第３の態様によれば、リベットセッターと本発明の上記の態様による方法を実施するダイ交換装置を併用してワークピースの２つ以上の層を接合するステップを備える製品の製造方法を提供する。
【００４３】
前記製品は車両とし得る。
【００４４】
本発明の態様の１つに関して上述した選択可能な特徴のいずれも、必要に応じ、本発明の他の態様のいずれにも等しく適用できることは理解されよう。 
【００４５】
これから、一例として、本発明の特定の実施形態を添付の図面を参照して説明する。
【図面の簡単な説明】
【００４６】
【図１】本発明の一実施形態によるファスニング装置の概略図を示す。
【図２】移送装置が第１の配置形態にあるときの本発明の一実施形態によるダイ交換機を示す図である。
【図３】移送機構が第２の配置形態にあるときの、図２に示すダイ交換機を示す別の図である。
【図４】図２に示すダイ交換機のいくつかの部分を示す図である。
【図５】図２に示すダイ交換機のいくつかの部分を示す図である。
【図６】図２に示すダイ交換機の一部分をリベットセッターの一部分とともに示す図である。
【図７】本発明の別の実施形態によるダイ交換機の概略図を示す。
【図８】本発明の他の実施形態によるダイ交換機の概略図を示す。
【発明を実施するための形態】
【００４７】
説明を簡単にするために、本発明はセルフピアスリベットセッターのためのダイ交換機に関して説明されるが、本発明はファスナ支持体が定期的に交換する必要のある部分を含むあらゆるファスニング装置に等しく適用可能であることは理解されよう。定期交換部分は本発明によるダイ交換機または方法によって交換することができる。
【００４８】
図１は、本発明の一態様によるファスニング装置１０の一部の概略図を示す。ファスニング装置１０は、リベットセッター１２およびダイ交換機１４を含む。リベットセッター１２はＣクランプ１６を含み、その第１の端部にファスナ挿入装置１８が、その第２の端部にファスナ支持体２０が互いに対向するように取り付けられる。ファスナ挿入装置はノーズアセンブリ２２を含み、その中にリベット貯蔵場所（図示せず）からリベットが挿通される。ノーズアセンブリはパンチ２４をさらに含む。アクチュエータ２６は、使用中に、パンチ２４をファスナ支持体２０およびファスナ挿入装置１８とファスナ支持体２０との間に置かれるワークピースに向かって移動させるために使用される。
【００４９】
ファスナ支持体２０は、ダイ３０を支持するダイ支持体２８を含む。
【００５０】
リベットセッター１２は、取り付け部３２を介して、リベットセッターを位置決めする任意の適切な装置に取り付けることができる。たとえば、いくつかの応用例では、リベットセッターはロボットアームに取り付けることができる。
【００５１】
使用中、リベットセッター１２は、リベット締結すべきワークピースがファスナ挿入装置１８とファスナ支持体２０の間に位置するに適切な位置に移動される。アクチュエータ２６がノーズアセンブリ２２の一部をワークピースに近づける。リベットがノーズアセンブリ２２に供給され、アクチュエータ２６がパンチ２４を駆動し、リベットがパンチ２４によってワークピースに挿入される。リベットはワークピースに打ち込まれ、ワークピースと接触するダイ３０によりリベットに反力が及ぼされる。ダイ３０により及ぼされる反力によって、ワークピースに打ち込まれたリベットがアプセットされ、それによってリベットが変形し、ワークピースがリベット締結される（すなわち、リベットによって一体に固定される）。
【００５２】
リベットをワークピースに挿入するための上記の装置および方法はすでによく知られており、本発明の重要な側面ではない。したがって、簡潔のために、リベットをワークピースに挿入する際のリベットセッターの動作に関するさらなる説明は省略する。
【００５３】
前述したように、ファスニング装置１０はダイ交換機１４も含む。ダイ交換機について以下でより詳細に説明する。ダイ交換機１４（ダイ交換装置とも呼ばれる）は、図２および図３により詳細に示されている。
【００５４】
ダイ交換機１４は、複数のダイを支持するための第１のダイ支持体３４を含む。本実施形態では、図５に最も明確に示されるように、第１のダイ支持体３４は、第１の軸Ａを中心に回転可能なカルーセルの形態をとる。図示の特定の実施形態では、第１のダイ支持体３４は、アクチュエータ３６によって回転駆動される。アクチュエータ３６および第１のダイ支持体３４は、支持アーム３８に取り付けられる。
【００５５】
第１のダイ支持体３４は、互いに離間した第１および第２のダイ支持部４０、４２（図３に示す）を有する。
【００５６】
図示されている本実施形態では、第１および第２のダイ支持部４０、４２はそれぞれダイカートリッジの形をとる。図５に最もよく見られるように、各ダイカートリッジ４４は、カルーセルの第１のダイ支持体３４の本体４８に固定されたカートリッジ支持体４６を含む。カートリッジ４４は、カートリッジ支持体４６に固定された本体４８も含み、よって第１のダイ支持体３４の一部を形成する。
【００５７】
ダイカートリッジ４４の正確な構造および動作方法は、本出願と同じ出願日に本出願人によって出願された同時出願の英国特許出願で説明されている。カートリッジ４４の構造および動作方法は、本発明にとって重要ではない。したがって、簡潔のために、カートリッジの構造および動作のさらなる説明は省略する。許可される権利範囲内で、カートリッジの構造および動作方法に関する前述の同時出願の英国出願の内容は、参照により本明細書に組み込まれる。
【００５８】
それにもかかわらず、言及に値するダイカートリッジ４４の一態様は、それらが複数（例えば５または６）のダイを支持するように構成されることである。いくつかの実施形態では、第１および第２のカートリッジの形態の第１および第２のダイ支持部４０、４２は、同じタイプのダイを支持してもよい。他の実施形態では、第１および第２のダイカートリッジの形態の第１および第２のダイ支持部は、異なるタイプのダイを支持してもよい。すなわち、第１のダイ支持部は、第１のタイプの複数のダイを支持し、第２のダイ支持部は、第２のタイプの複数のダイを支持してもよい。
【００５９】
また、図の明瞭さを高めるために、第１のダイ支持部４０および第２のダイ支持部４２は、いくつかの図では全くまたは全体的に示されていないことにも注目されたい。より詳細には、図２には、カートリッジの形態の第１のダイ支持部のカートリッジ支持体のみが示されている。図３は、第１および第２のダイ支持部４０、４２の両方に対するカートリッジ支持体を示す。図４は、第１のダイ支持部４０に対するカートリッジ支持部４６およびカートリッジの本体４８を示すが、第２のカートリッジ支持部のダイ支持部のみが見える。最後に、図５は、カートリッジ支持体４６とカートリッジ本体４８の両方を含むカートリッジ４４の形態の第１のダイ支持部４０のみを示している。
【００６０】
これらの図は、２つのダイ支持部のみを示していることが理解されよう。２つ以上の任意の数のダイ支持部が存在することは、本発明の範囲内である。例えば、図５に明確に見られるように、カルーセルの第１のダイ支持体３４は、それぞれがさらなるダイ支持部の場所として機能し得るいくつかの追加のスペース（例えば、参照番号５２で示されている）を含む。
【００６１】
さらに、図に示されている第１のダイ支持体の設計は限定を意図するものではない。たとえば、カルーセルの第１の支持体は、２つ以上の任意の適切な数のダイ支持部のための場所を有してもよい。
【００６２】
加えて、本明細書の図面に示されるダイ支持部は複数のダイを保持するカートリッジであるが、任意の適切なダイ支持部を使用してもよい。そのようなダイ支持部は、１つ以上のダイを含むことができる。さらに、複数のダイが各ダイ支持部により支持される実施形態において、各ダイ支持部によって支持される複数のダイは同じである必要はない。
【００６３】
前述のように、第１および第２のダイ支持部４０、４２は互いに間隔を置いて配置されている。特に、本実施形態では、第１および第２のダイ支持部は、第１の軸Ａの周りで互いに角度的に離間している。
【００６４】
ダイ支持体３４は、第１のダイ支持部４０または第２のダイ支持部４２のいずれかを第１の移送位置５４に位置させることができるように移動可能である。図示の特定の実施形態では、ダイ支持体３４は、第１または第２のダイ支持部を第１の移送位置５４に位置させるために、いずれの方向にも回転可能である。
【００６５】
ダイ交換機１４の第１のダイ支持体３４がいずれの方向にも回転可能であるということは、単一方向にのみ移動／回転可能なシステムよりも有利である。それは、第１の移送位置にあるダイ支持部（または廃棄容器/導管−後記参照）を交換するために第１のダイ支持体を回転させる必要があるとき、第１の移送位置にある現在のダイ支持部と第１の転送位置に位置させる予定のダイ支持部との間の最も速い回転方向（時計回りまたは反時計回り）を使用できるためである。
【００６６】
ダイ交換機１４は、移送装置５６も含む。本実施形態では、移送装置５６は、第２の軸Ｂを中心に平行移動可能であるとともに回転可能なアーム５８の形態をとる。移送装置５６およびそのアクチュエータは、第１のダイ支持体３４を支持するアーム３８を支持するベースプレート６０に取り付けられる。
【００６７】
移送装置５６は、参照番号６２で一般に示される第１の把持部を含む。第１の把持部（および後述する第２の把持部）の動作の詳細は、本発明にとって重要ではない。本発明によれば、ダイに隣接してまたはその周囲に配置し、次いでダイに力を加えてそれを移送装置に固定するように作動し、その後、ダイを移送装置から解放するために作動停止することができるならば、任意の適切な装置を把持部として使用することができる。適切な例は、ダイと接触するまで延びる把持部材またはダイを磁気的に保持するように作動し得る電磁石を含む把持部を含む。任意の適切な把持部を使用できるという事実に照らして、且つ本発明の一部としてこの特徴の動作の重要性の補助的な性質を考慮して、この点のさらなる説明は簡潔のために省略する。
【００６８】
第１の把持部は、第１および第２のダイ支持部４０、４２の１つが第１の移送位置５４に位置するときに第１および第２のダイ支持部の１つからダイを把持し、把持したダイを第１のダイ支持体から取り外すように構成される。本実施形態では、これは図２を参照して以下のように達成される。移送装置によってダイが引き抜かれるダイ支持部は、第１の移送位置に位置する。これは、第１のダイ支持体３４を移動させることにより達成され、これは、本例では、回転による移動である。第１の移送位置は、第１の把持部６２の垂直下の位置（図２に示す装置の向きに関して）である。図２に示す実施形態では、第１の移送位置５４に位置するダイ支持部は第２のダイ支持部４２である。関連するダイ支持部が第１の移送位置５４に位置されると、移送装置５６（したがって、アーム５８および第１の把持部６０）は、軸Ｂに沿って方向Ｃに並進される。移送装置は、第２のダイ支持部４２に接触するまで方向Ｃに移動する。カートリッジに関する同時出願で詳細に説明されているように、第２のダイ支持部に接触すると、第２のダイ支持部４２を構成する第２のカートリッジからダイが解放される。カートリッジの動作に関するさらなる詳細は本発明にとって重要ではないので、簡潔のために、ここではこれ以上詳細に説明しない。ダイが第２のダイ支持部４２から解放されると、そのダイは移送装置５６の第１の把持部６２によって受け取られる。次いで、第１の把持部６２が作動してダイを把持する。次に、移送装置５６のアクチュエータが移送装置５６を作動させて、移送装置５６を軸Ｂに沿って第１のダイ支持体３４から離れる方向Ｄに動かす。このようにして、把持されたダイは第２のダイ支持部４２および従って第1のダイ支持体３４から取り外される。
【００６９】
移送装置５６は、第１の把持部６２が関連するダイ支持部から関連するダイを上述の方法で（すなわち、移送装置５６を方向Ｃに移動し、第１の把持部６２を作動させることにより）把持することができる第１の配置形態（図２に示す）と、第１の把持部が前記ダイを解放し、それを第２の移送位置６４に位置するリベットセッター１２の第２のダイ支持体２８に渡すことができる第２の配置形態（図３に示す）との間でダイ支持体３４と独立に移動可能である。
【００７０】
図２と図３を比較すると、図２に示す第１の配置形態と図３に示す第２の配置形態との間の移送装置の動きは、軸Ｂを中心とする１８０度の移送装置５６の回転となる。このような回転は、移送装置のアクチュエータによって実行される。この回転は、時計回りの方向Ｅまたは反時計回りの方向Ｆのいずれかで最適に発生する。本発明の範囲内において、第１の配置形態と第２の配置形態との間の移送装置５６の回転は任意の適切な回転量とすることができ、例えば３０°、４５°、６０°、９０°、１２０°、１３５°、１５０°、および１８０°にすることができるが、それらに限定されないことは理解されよう。第１の配置形態から第２の配置形態への、およびその後の第２の配置形態から第１の配置形態への移送装置５６の回転量は３６０°にしてもよい。いくつかの実施形態では、第１の配置形態から第２の配置形態への回転量は、第２の配置形態から第１の配置形態への回転量と同じにしてもよい。他の実施形態では、このようにする必要はない。さらに、移送装置は、第１の配置形態と第２の配置形態との間で回転するように構成されていれば、任意の適切な形状または構造にしてよいことは理解されよう。
【００７１】
本実施形態では、第２の移送位置は、図６を参照すると最もよく理解される。図６は、リベットセッター１２の一部およびダイ交換機１４の一部を示す。リベットセッター１２のダイ支持体２８はダイ３０を支持する。理解されるように、ダイ支持体２８がさらなるダイを受け取るためには、ダイ３０を取り外さなければならない。ダイ３０は、任意の適切な方法で取り外すことができる。本発明による特定の方法は、本明細書において後で説明される。第１の把持部６２がダイを解放し、それを第２の移送位置に位置するリベットセッターの第２のダイ支持体２８に渡すことができる移送装置５６の第２の配置形態を説明するために、図６内のダイ３０は既に取り外されていると仮定すべきである。リベットセッター１２の第２のダイ支持体２８が位置する第２の移送位置は、リベットセッター１２がダイ交換機１４に対して移動するときにリベットセッター１２の肩部６６が表面６８の形態のダイ交換機１４のハードストップと当接するようなダイ支持体２８の位置である。ダイ支持体２８が第２の移送位置６４に位置するようにリベットセッター１２がダイ交換機１４に対して位置する場合、移送装置５６が第２の配置形態にあるとき（図３に示される）、ダイ支持体２８は第１の把持部６２の垂直下方に位置する（図面の向きで）。
【００７２】
移送装置５６の第１の把持部６２によって把持したダイを第２のダイ支持体２８に渡すために、移送装置５６のアクチュエータは移送装置５６を作動させて軸Ｂに沿って方向Ｃに動かす。これにより、把持したダイは第２のダイ支持体２８に置かれ、第１の把持部分６２は、ダイを解放して第２のダイ支持体２８に残すように作動解除することができる。第２のダイ支持体２８内にダイが置かれると、第２のダイ支持体内の保持機構を作動させて、第２のダイ支持体内にダイを保持することができる。次に、必要に応じて、移送装置５６のアクチュエータを作動させて、移送装置５６を軸Ｂに沿って方向Ｄに移動させ、移送装置５６を元の位置に戻すことができる。
【００７３】
本実施形態では、移送装置５６は、移送装置５６のアーム５８の第１の把持部６２とは反対側の端部に設置された第２の把持部７０を備える。
【００７４】
第１の把持部と第２の把持部は、移送装置のアームの両端に位置することを除いて、実質的に同一であり、実質的に同一の方法で動作する。図２に示されるように、（および図６に示されるように、ただしこの図で見える移送装置の部分は第２の把持部７０である）、移送装置５６の第１の配置形態において、第２の把持部７０は、リベットセッターが第２の移送位置に位置するとき、リベットセッター１２の第２のダイ支持体２８から第２のダイ３０を把持することができる。これは次のように達成される。移送装置５６が第１の配置形態にあるとき、移送装置５６のアクチュエータが移送装置５６を作動させ、それを軸Ｂに沿って方向Ｃに動かして、第２の把持部７０を第２のダイ３０に隣接してまたはその周囲に位置させることができる。次に、第２把持部を作動させ、それにより第２ダイに力を加えて第２のダイを第２把持部に固定することができる。次いで、移送装置５６を移送装置のアクチュエータによって作動させて移送装置５６を軸Ｂに沿って方向Ｄに移動させることができる。これにより、第２のダイ３０が第２のダイ支持体２８から取り外される。
【００７５】
第２のダイ３０を取り外す前に、リベットセッターがリベットをワークピースに挿入するように動作している間、第２のダイ３０は第２のダイ支持体２８に固定される。これは、既知のタイプのダイ保持機構により達成される。ダイ保持機構は既知であり、その動作は本発明の実施にとって重要ではないため、簡潔のために、その動作はこれ以上詳細には説明しない。つまり、第２のダイ３０が通常第２のダイ支持体に固定されているとすると、第２のダイ３０を第２のダイ支持体２８から取り外す前に、ダイ保持機構を解除する必要があることは明らかである。本実施形態では、これは以下のように達成される。図６はダイ取り外しピン７２を示す。ダイ取り外しピン７２は、第２の移送位置の下に位置する。リベットセッターが第２の移送位置に位置されると、ダイ取り外しピン７２がＣフレームの下側の開口部（図示せず）を通って垂直に上方に移動する。ダイ取り外しピン７２は、開口部を通って第２のダイ支持体２８に入り、ダイ保持機構を解放させてダイをわずかに上方に移動させる。ダイ保持機構が解放され、ダイが上方に移動すると、ダイは第２の把持部７０によって把持され、第２のダイ支持体から取り外される。
【００７６】
移送装置の動作のこの部分（ダイが第２の把持部分７０によって把持され、第２のダイ支持体から取り外される動作）は、上述したように第１の把持部が第１または第２のダイ支持部からダイを把持するときに同時に生じ得ることは理解されよう。したがって、第１または第２のダイ支持部が第１の移送位置にあると同時にリベットセッターの第２のダイ支持部が第２の移送位置にあるならば、移送装置５６の第１の把持部６２が第１または第２のダイ支持部から取り外すべきダイを把持するとき、同時に第２の把持部７０が第２のダイ支持体２８から取り外すべきダイ３０を把持することができる。
【００７７】
ダイ３０が第２のダイ支持体２８から取り外されると、移送装置５６は第２の配置形態に移動することができる。移送装置５６の第２の配置形態では、第２の把持部７０は、第２のダイ３０を解放し、廃棄ターゲットに渡すために作動解除される。廃棄ターゲットは、第１の移送位置に設置してもよい。
【００７８】
移送機構の動作のこの部分は、上述したように第１の把持部６２がダイを解放し、それを第２の移送位置６４に位置するリベットセッター１２の第２のダイ支持体２８に渡すときにも、同時に生じ得ることは理解されよう。したがって、廃棄ターゲットが第１の移送位置にあり、同時にリベットセッターの第２のダイ支持体が第２の移送位置にある場合、第1のグリップ部６２がダイを解放してリベットセッター１２の第２のダイ支持体２８に渡すと同時に、第２のグリップ部７０がダイ３０を解放し、それを廃棄ターゲットに渡すことができる。
【００７９】
用途に応じて、廃棄ターゲットは、使用済みのダイを渡すのが望ましい任意の適切な実体としてよい。いくつかの実施形態では、廃棄ターゲットは、第１のダイ支持体とは別にしてよい。しかし、本実施形態では、廃棄ターゲットは第１のダイ支持体３４の一部を形成し、廃棄ターゲットは廃棄導管７４である。廃棄導管７４は、カルーセルの追加スペース５２の１つにおいて第１のダイ支持体３４に固定される。廃棄導管７４はほぼ垂直に下向きに延び、ダイが通過できるサイズを有する。より詳細には、廃棄導管は、第１のダイ支持体３４に接続された第１端部７４ａと、第１端部７４ａから離間した第２端部７４ｂとを有する。第１のダイ支持体３４は、廃棄導管７４の第１の端部７４ａが第１の移送位置５４に位置するとき、図２に最もよく示されるように、廃棄導管７４の第２の端部７４ｂが第２の廃棄導管７６に隣接するように配置され、第２のダイが廃棄導管７４に渡されるとき、第２のダイが廃棄導管７４を第１端部７４ａから第２端部７４ｂへ通過し、次いで第２の廃棄導管７６へと入るように配置される。他の実施形態では、第２の廃棄導管は第２の廃棄容器と交換しても、または追加的に含んでもよい。廃棄導管の第１の端が第１の移送位置にあるとき、廃棄導管の第２の端は第２の廃棄容器に隣接して配置されるため、第２のダイが廃棄導管に渡されると、第２のダイは（重力により）廃棄導管を第１の端から第２の端へ通過し、次いで第２の廃棄容器へ入る。
【００８０】
第１の廃棄導管は第１のダイ支持体に接続されているためそれと一緒に移動するが、第２の廃棄導管または第２廃棄容器は第１のダイ支持体とは分離しているため第１のダイ支持体と共に移動しない。
【００８１】
いくつかの実施形態では、第１の廃棄導管７４は廃棄容器に置き換えてもよい。廃棄導管と廃棄容器の違いは、廃棄導管はある場所から別の場所に廃棄物を運ぶように設計されているのに対して、廃棄容器は、メンテナンス業務の一部として廃棄物が空にされるまで廃棄物を保管または収容するように設計されていることである。
【００８２】
これまで説明した廃棄ターゲットは、リベットセッターから取り外されたダイを廃棄物として処理するのが望ましいものであった。これは、ダイが非常に多数のリベット操作を実行して摩耗する場合に当てはまる。他の用途では、リベットセッターから除去されたダイは完全に摩耗してないことがあり、したがって廃棄物ではないことがある。そのような場合、そのダイは後で使用できるようにダイ支持部に置くことが望ましいことがある。この目的のために、廃棄ターゲットは、第１のダイ支持部、第２のダイ支持部、または第３のダイ支持部のうちの１つとしてもよい。
【００８３】
ファスニング装置のいくつかの用途では、ファスニング装置は、安全上の理由から人員のアクセスが制限された制限区域に配置される。このような状況では、人が侵入する前に制限区域内のすべての機械の電源を切る必要があるのが一般的である。一例では、リベットセッターはロボットアームの先端に設置され得る。リベットセッターはロボットアームの先端にあるため、リベットセッターは安全上のリスクを示し、ロボットアームがリベットセッターを不注意に動かす可能性があり、それによって怪我を生じる可能性がある。このため、この場合には、リベットセッターは制限区域内に設置される。リベットセッターはダイ交換機にアクセスする必要があるため、ダイ交換機の少なくとも一部も制限区域内に設置しなければならない。
【００８４】
いくつかの実施形態では、第１の移送位置５４は制限区域Ｒ内に配置され、第２の廃棄導管７６は、互いに離間した第３の端部７６ａおよび第４の端部７６ｂを含み、第３の端部７６ａは、廃棄導管７４の第２の端部７４ｂが第２の廃棄導管７６に隣接して位置するとき、廃棄導管７４に隣接して位置し、第４端部７６ｂは、制限区域の外側（非制限区域Ｕとも呼ばれる）に配置される。このようにして、第１および第２の廃棄導管は、リベットセッターから取り外されたダイを制限区域外の場所に運ぶことができる。このように、オペレータは廃棄ダイを取り外すために制限区域に入る必要はない。したがって、廃棄ダイの取り外しはファスニング装置の中断時間を生じない。
【００８５】
いくつかの実施形態では、第１の移送位置５４は制限区域Ｒ内に位置し、第１のダイ支持体３４の一部分は制限区域の外（非制限区域Ｕ内）に配置可能であり、第１のダイ支持体の前記部分は廃棄ターゲットまたは廃棄容器を含む。このように、第１のダイ支持体を移動させることにより、制限区域の外に廃棄ターゲットまたは廃棄容器を位置させることができる。廃棄ターゲットまたは廃棄容器を制限区域の外に移動できるということは、リベットセッターから取り外される如何なるダイも、制限区域にアクセスする必要なしにファスニング装置から簡単に取り外すことができるため、制限区域内でマシンを停止させる必要がないことを意味する。
【００８６】
図８に示すようないくつかの実施形態では、第１の移送位置５４は制限区域Ｒ内に位置する。第１のダイ支持体３４の一部は、制限区域の外（非制限区域Ｕ内）に位置させることができ、第１のダイ支持体の前記部分は第１および／または第２のダイ支持部４０，４２を備える。このように、第１のダイ支持部を移動させることにより、第１および／または第２のダイ支持部を制限区域の外に位置させることが可能である。第１および/または第２のダイ支持部を制限区域外に移動させることができるということは、制限区域に入る必要なしに関連するダイを使い果たしたダイ支持部にダイを補充することができるため、制限区域の機械を停止する必要がないことを意味する。
【００８７】
複数の受け取ったダイを収容するように構成された第１の廃棄容器または第２の廃棄容器を含む本発明のいくつかの実施形態では、第１の廃棄容器または第２の廃棄容器は、前記複数の受け取ったダイを受け取った順序と同じ順序で互いに隣接して支持することができる。より詳細には、一例として、図７は、第１および第２の廃棄導管７４、７６の末端に位置する第２の廃棄容器７８を示す。使用中、上述したように、ダイがリベットセッターから取り外され、第１の廃棄導管７４の形態の廃棄ターゲットに渡される場合、そのダイは第１廃棄導管７４を通り、第２廃棄導管７６を通り、第２廃棄容器７８に入る。図示の実施形態では、第２の廃棄容器７８の直径は第２の廃棄容器で受け取られるダイの直径よりわずかに大きい。こうして、第２の廃棄容器７８は、前記複数の受け取ったダイを受け取った順序と同じ順序で互いに隣接して支持する。つまり、ダイ３０ａが最初に受け取られ、ダイ３０ａの隣のダイ３０ｂが２番目に受け取られたものであり、ダイ３０ｂの隣の空間３０ｃは、ダイ３０が解放されたときそのダイで占有される。
【００８８】
廃棄容器７８が受け取ったダイを受け取った順に支持することは、各ダイがリベットセッターから除去された時系列に基づくダイの事後分析を可能にするため、有益であり得る。図示の実施形態において、第２の廃棄容器７８が前記複数の受け取ったダイを受け取った順序と同じ順序で互いに隣接して支持する方法は、第２の廃棄容器７８の直径を第２の廃棄容器により受け取られるダイの直径よりわずかに大きくするだけで達成されている。しかし、他の実施形態では、前記複数の受け取ったダイを受け取った順序と同じ順序で互いに隣接して支持する任意の適切な構成を使用することができることは理解されるであろう。
【００８９】
上述の実施形態には特許請求の範囲によって特定される本発明の範囲から逸脱することなくいくつもの変更を加えることができることは理解されるであろう。
【００９０】
そのような変更の１つは第１のダイ支持体に関する。記載した実施形態にでは、第１のダイ支持体はカルーセルであり、第１および第２のダイ支持部は角度的に離間され、第１のダイ支持体の動きは軸を中心とする回転である。他の実施形態では、そのように構成する必要はなく、第１のダイ支持体は任意の適切な形状、例えば線形または長方形にしてもよい。これらの例では、第１および第２のダイ支持部は角度的に離間されず、第１のダイ支持体の動きは平行移動になる。
【図１】
2020523203.tif 000003
【図２】
2020523203.tif 000004
【図３】
2020523203.tif 000005
【図４】
2020523203.tif 000006
【図５】
2020523203.tif 000007
【図６】
2020523203.tif 000008
【図７】
2020523203.tif 000009
【図８】
2020523203.tif 000010
【国際調査報告】
2020523203.tif 000011
2020523203.tif 000012
2020523203.tif 000013